(57)【要約】【課題】皿に盛り付けられた高粘度経腸栄養剤を空気を取り込まずに胃瘻カテーテル用シリンジへ吸入できる経済的な吸引アダプターを提供する。【解決手段】高齢者の多い近年は、胃瘻カテーテル１で食事を採る人が増えているが、皿３０に盛り付けられたミキサー食など高粘度経腸栄養剤は、シリンジ１０への吸入が空気が取り込まれて困難である。本発明の吸引アダプター２０は、お椀状の吸入パッド２１の中央に、シリンジ１０の筒先１３が嵌合する連結口２２ｂを上端に備えた吸入筒２２が固設されている。この吸入筒２２は、吸入口２２ａ側が小径でシリンジ連結口２２ｂ側へ漸次径が大きくなるように形成されている。【選択図】図７
2020078387.tif 000002
【特許請求の範囲】
【請求項１】
シリンジに高粘度経腸栄養剤を吸入するためのアダプターであって、弾性体であるお椀状の吸入パッドの中央に、シリンジの筒先が嵌合する連結口を上端に備えた吸入筒が固設されたことを特徴とする高粘度経腸栄養剤の吸引アダプター。
【請求項２】
前記吸入筒は、吸入口側が小径でシリンジ連結口側へ漸次径が大きくなるように形成されたことを特徴とする請求項１に記載の高粘度経腸栄養剤の吸引アダプター。
【請求項３】
前記吸入パッドは、吸入パッドを容器から引き離すための引手が外周部に固設されたことを特徴とする請求項１または請求項２に記載の高粘度経腸栄養剤の吸引アダプター。
【発明の詳細な説明】
【技術分野】
【０００１】
本発明はミキサー食など高粘度経腸栄養剤を胃瘻へ注入するため、シリンジへの吸入に使用する装置に関するものである。
【背景技術】
【０００２】
摂食障害のある小児に、胃瘻カテーテルを介して、栄養剤を投与することが行われており、近年は自然食をミキサーにかけた、所謂ミキサー食など、高粘度経腸栄養剤の投与も行われている（例えば、特許文献１）。また、高齢者人口が急増している近年では、認知症や脳卒中後遺症など慢性疾患患者が増えており、嚥下障害や誤嚥性肺炎などを患っている人も増えており、胃瘻カテーテルの使用が増加している。
高粘度経腸栄養剤は、短時間で栄養を投与でき、また、胃本来の機能を活用できるメリットが大きい。
【０００３】
胃瘻カテーテルは、幾つかの種類があるが、一例は、図１に示すように、体内に置かれるバルーン２と、バルーン２が奥に行かないようにする固定板３と、チューブ４と、食物などの供給口であるファネル５と、その蓋であるファネルストッパー６と、バルーン２に水を供給するためのバルブ７とから構成されている。そして、経腸栄養剤を投与する場合は、図２に示すシリンジ１０に経腸栄養剤を充填させ、胃瘻カテーテル１のファネル５に接続し、押子１２でシリンジ１０内の経腸栄養剤を胃瘻へ押し出すことによっている。
なお、図２において、１１は外筒、１３は筒先、１４はフランジ、１５はシール材である。
【先行技術文献】
【特許文献】
【０００４】
【特許文献１】特開２０１０-０６５０１３号
【発明の開示】
【発明が解決しようとする課題】
【０００５】
シリンジ１０は経腸栄養剤が低粘度である場合は、押子１２を引き上げることによりスムーズに外筒１１内に吸入できるが、ミキサー食などある程度以上の粘度の場合は、吸入時に空気が取り込まれて十分に充填されず困難である。そこで、通常は、シリンジ１０の外筒１１から押子１２を引き抜いて、外筒１１のフランジ１４側からスプーンでミキサー食を何回か掬って入れている。
しかし、このようなやり方は面倒である上、フランジ１４の周辺にミキサー食が付着し、これが、垂れ落ちないように毎回拭き取らねばならないという問題がある。
【０００６】
本発明はこのような点に鑑み、ミキサー食など高粘度経腸栄養剤を簡便に胃瘻カテーテル用シリンジへ吸入できる経済的な吸引アダプターを提供することを目的としている。
【課題を解決するための手段】
【０００７】
上記の目的を達成するため、本発明の高粘度経腸栄養剤の吸引アダプターは、次のように構成した。すなわち、シリンジに高粘度経腸栄養剤を吸入するためのアダプターであって、弾性体であるお椀状の吸入パッドの中央に、シリンジの筒先が嵌合する連結口を上端に備えた吸入筒が固設されたことを特徴としている。  
【０００８】
この吸引アダプターは、胃瘻に高粘度経腸栄養剤を投与するため、容器に入れた高粘度経腸栄養剤を胃瘻カテーテル用シリンジへ簡便に吸入するための補助具で、吸入パッドを上から高粘度経腸栄養剤へ密着させ、シリンジの押子を引き上げることにより、該高粘度経腸栄養剤を取り込むようにしたものである。
【０００９】
吸入パッドは、高粘度経腸栄養剤に密着するように合成樹脂製や合成ゴム製などの弾性体であることが望ましい。また、吸入パッドの大きさは、特に限定しない。容器の大きさや、高粘度経腸栄養剤の性状から、適宜なものを選定すればよい。また、吸入パッドは、吸入筒と一体に成形したものでもよいし、別体にして、吸入筒に固着したもの、または、適宜脱着できるようにしたものでもよい。
【００１０】
吸入筒の内部は高粘度経腸栄養剤が通る空洞であり、下端に吸入口が、上端にシリンジが嵌合する連結口が設けられている。長さは特に限定しない。シリンジとの脱着のし易さを考えて決めればよい。高粘度経腸栄養剤は、請求項２に記載のように、吸入筒の吸入口側が小径でシリンジ連結口側へ漸次大きくなるように形成されたものを使用すれば、高粘度経腸栄養剤は速やかにシリンジへ流入する。
【００１１】
シリンジに高粘度経腸栄養剤が充填されたときは、シリンジを吸引アダプターから取り外して、胃瘻用カテーテルのファネルへ接続すればよい。シリンジを吸引アダプターから取り外せば、吸入筒から外気が流入するので、吸入パッドを容器から容易に離すことができる。吸入量が少ない場合など、シリンジが吸引アダプターに接続された状態のまま、容器から引き離すことが必要な場合には、請求項３に記載のように、吸入パッドの外周部に引手が固設されたものを使用するとよい。吸入パッドは容器に強力に吸着しているので、引手の掴む部分は、手に力が入りやすい形状にするとよい。
【発明の効果】
【００１２】
本発明の高粘度経腸栄養剤の吸引アダプターは、シリンジに簡便に脱着でき、空気がシリンジに流入しないので高粘度経腸栄養剤をシリンジへ確実に吸入でき、しかも、構造が簡素で動力を必要としないので、簡単に誰でも使用でき、故障することもない。
【図面の簡単な説明】
【００１３】
【図１】胃瘻用カテーテルの一例の説明図である。
【図２】シリンジの全体を示す正面図である。
【図３】吸引アダプターの実施の形態を示す全体斜視図である。
【図４】同、図３のＡ−Ａ断面図である。
【図５】同、吸入パッドの他の実施例を示す正面図である。
【図６】同、引手の実施例を示す斜視図である。
【図７】同、吸引アダプターの使用状態を示す正面断面図である。
【発明を実施するための最良の形態】
【００１４】
本発明のシリンジへの吸引アダプターの実施の形態を、図３および図４に基づいて説明する。
図３は、本発明の吸引アダプター２０の実施の形態を示す斜視図で、図４は、図３のＡ−Ａ断面図である。
【００１５】
吸引アダプター２０は、合成樹脂（例えば、ポリ塩化ビニル）製で、先端に弾性体の吸入パッド２１が固設され、その中心部に吸入筒２２が固着されている。吸入筒２２の中央部には連通する孔が形成されており、吸入パッド２１側には吸入口２２ａが、他端側にはシリンジ１０の筒先１３が嵌入連結される連結口２２ｂが設けられている。この連通する孔は、吸入口２２ａからシリンジ連結口２２ｂへ、漸次径が大きくなるように形成されている。
【００１６】
次に、このように構成された吸引アダプター２０の使い方を説明する。
例えば、高粘度経腸栄養剤であるミキサー食を胃瘻へ投与する場合は、まず、ミキサーから皿などの容器へ、ミキサー食を直接流し込むかスプーンなどで取り出す。
次に、図７に示すように、吸引アダプター２０の吸入筒２２の上端である連結口２２ｂに、シリンジ１０の筒先１３を挿入連結する。そして、シリンジ１０の押子１２を外筒１１の底まで押込み、吸入パッド２１を下側にして、ほぼ、垂直に持って、容器３０上のミキサー食３５に対して、上面から軽く押し付ける。
この状態で、シリンジ１０の押子１２を引き上げると、ミキサー食３５が吸引されてシリンジ１０の押子１２を引き上げた空間に吸入される。
【００１７】
次に、シリンジ１０の筒先１３を吸引アダプター２０の連結口２２ｂから外し、図１に示す胃瘻カテーテル１のファネル５にシリンジ１０の筒先１３を挿入連結し、押子１２を押込んで、ミキサー食３５を胃瘻へ送り込む。なお、シリンジ１０が取り外された吸引アダプター２０は、吸入筒２２から外気が流入するので、容器３０から簡単に離すことができる。
引き続き、ミキサー食３５を胃瘻へ送り込むには、シリンジ１０をファネル５から外し、吸引アダプター２０に付け替えて、上記と同じ作業を繰り返せばよい。
【００１８】
次に、吸引アダプター２０の別の実施の形態を図５に基いて説明する。
図５は、吸引アダプターの種々の実施の形態を示すもので、吸引アダプター２０Ａは、吸引パッドの径が大きなものを示し、吸引アダプター２０Ｂは、吸引パッドの径の小さいものを示している。また、吸引アダプター２０Ｃは、吸入筒が長いものを示している。
どれを使用するかは、高粘度経腸栄養剤の性状や、使用する容器などによって、決めればよい。
【００１９】
次に、請求項３に記載の実施の形態について図６に基いて説明する。
吸引アダプター２０は、シリンジ１０を連結して高粘度経腸栄養剤を吸入した状態では、吸入パッド２１が容器３０に吸着しており、吸入パッド２１を容器３０から引き離すことはできない。図６に示す吸引アダプターは、このような場合に容器から引き離せるように、引手２３を吸入パッド２１の外周部に固設したものである。
引手２３としては、図６（ａ）〜（ｃ）に示すように、種々のものが考えられる。（ａ）は、吸入パッド２１の外周部に立設した棒状で上端に指がかかる凸状の掴み部が形成されたもの、また、（ｂ）は、上端にリング状の持手を付設したもの、（ｃ）は上端をフック状にしたものである。
【００２０】
このような引手を備えた吸引アダプター２０Ｈを使用すれば、例えば、シリンジ１０にあるミキサー食３５を所定量吸入したら、吸引アダプター２０Ｈの引手２３を引き込んで、吸引パッド２１を容器３０から引き剥がし、別に用意したミキサー食あるいは、残りのミキサー食をシリンジ１０に追加吸入することが容易にできる。
【符号の説明】
【００２１】
１  胃瘻カテーテル
２  バルーン
３  固定板
４  チューブ
５  ファネル
６  ファネルストッパー
７  バルブ
１０  シリンジ
１１  外筒
１２  押子
１３  筒先
１４  フランジ
１５  シール材
２０  吸引アダプター
２０Ａ，２０Ｂ，２０Ｃ，２０Ｈ  吸引アダプター
２１  吸入パッド
２２  吸入筒
２２ａ  吸入口
２２ｂ  連結口
２３、２３ａ、２３ｂ  引手
３０  容器
３５  ミキサー食
【図１】
2020078387.tif 000003
【図２】
2020078387.tif 000004
【図３】
2020078387.tif 000005
【図４】
2020078387.tif 000006
【図５】
2020078387.tif 000007
【図６】
2020078387.tif 000008
【図７】
2020078387.tif 000009
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
皿に盛り付けられた高粘度経腸栄養剤をシリンジへ吸入するためのアダプターであって、弾性体であるお椀状の吸入パッドの中央に、シリンジの筒先が嵌合する連結口を上端に備えた吸入筒が固設されたことを特徴とする高粘度経腸栄養剤の吸引アダプター。
【請求項２】
前記吸入筒は、吸入口側が小径でシリンジ連結口側へ漸次径が大きくなるように形成されたことを特徴とする請求項１に記載の高粘度経腸栄養剤の吸引アダプター。
【請求項３】
前記吸入パッドは、吸入パッドを皿から引き離すための引手が外周部に固設されたことを特徴とする請求項１または請求項２に記載の高粘度経腸栄養剤の吸引アダプター。
【手続補正２】
【補正対象書類名】明細書
【補正対象項目名】全文
【補正方法】変更
【補正の内容】
【発明の詳細な説明】
【技術分野】
【０００１】
本発明はミキサー食など高粘度経腸栄養剤を胃瘻へ注入するため、シリンジへの吸入に使用する装置に関するものである。
【背景技術】
【０００２】
摂食障害のある小児に、胃瘻カテーテルを介して、栄養剤を投与することが行われており、近年は自然食をミキサーにかけた、所謂ミキサー食など、高粘度経腸栄養剤の投与も行われている（例えば、特許文献１）。また、高齢者人口が急増している近年では、認知症や脳卒中後遺症など慢性疾患患者が増えており、嚥下障害や誤嚥性肺炎などを患っている人も増えており、胃瘻カテーテルの使用が増加している。
高粘度経腸栄養剤は、短時間で栄養を投与でき、また、胃本来の機能を活用できるメリットが大きい。
【０００３】
胃瘻カテーテルは、幾つかの種類があるが、一例は、図１に示すように、体内に置かれるバルーン２と、バルーン２が奥に行かないようにする固定板３と、チューブ４と、食物などの供給口であるファネル５と、その蓋であるファネルストッパー６と、バルーン２に水を供給するためのバルブ７とから構成されている。そして、経腸栄養剤を投与する場合は、図２に示すシリンジ１０に経腸栄養剤を充填させ、胃瘻カテーテル１のファネル５に接続し、押子１２でシリンジ１０内の経腸栄養剤を胃瘻へ押し出すことによっている。
なお、図２において、１１は外筒、１３は筒先、１４はフランジ、１５はシール材である。
【先行技術文献】
【特許文献】
【０００４】
【特許文献１】特開２０１０-０６５０１３号
【発明の開示】
【発明が解決しようとする課題】
【０００５】
シリンジ１０は経腸栄養剤が低粘度である場合は、押子１２を引き上げることによりスムーズに外筒１１内に吸入できるが、ミキサー食などある程度以上の粘度の場合、あるいは、皿など底の浅い容器に盛り付けた場合は、吸入時に空気が取り込まれて十分に充填されず困難である。そこで、通常は、シリンジ１０の外筒１１から押子１２を引き抜いて、外筒１１のフランジ１４側からスプーンでミキサー食を何回か掬って入れている。
しかし、このようなやり方は面倒である上、フランジ１４の周辺にミキサー食が付着し、これが、垂れ落ちないように毎回拭き取らねばならないという問題がある。
【０００６】
本発明はこのような点に鑑み、皿に盛り付けたミキサー食など高粘度経腸栄養剤を簡便に胃瘻カテーテル用シリンジへ吸入できる経済的な吸引アダプターを提供することを目的としている。
【課題を解決するための手段】
【０００７】
上記の目的を達成するため、本発明の高粘度経腸栄養剤の吸引アダプターは、次のように構成した。すなわち、皿に盛り付けられた高粘度経腸栄養剤をシリンジへ吸入するためのアダプターであって、弾性体であるお椀状の吸入パッドの中央に、シリンジの筒先が嵌合する連結口を上端に備えた吸入筒が固設されたことを特徴としている。
【０００８】
この吸引アダプターは、胃瘻に高粘度経腸栄養剤を投与するため、皿に盛り付けた高粘度経腸栄養剤を胃瘻カテーテル用シリンジへ簡便に吸入するための補助具で、吸入パッドを上から高粘度経腸栄養剤へ密着させ、シリンジの押子を引き上げることにより、該高粘度経腸栄養剤を取り込むようにしたものである。
【０００９】
吸入パッドは、高粘度経腸栄養剤に密着するように合成樹脂製や合成ゴム製などの弾性体であることが望ましい。また、吸入パッドの大きさは、特に限定しない。皿の大きさや、高粘度経腸栄養剤の性状から、適宜なものを選定すればよい。また、吸入パッドは、吸入筒と一体に成形したものでもよいし、別体にして、吸入筒に固着したもの、または、適宜脱着できるようにしたものでもよい。
【００１０】
吸入筒の内部は高粘度経腸栄養剤が通る空洞であり、下端に吸入口が、上端にシリンジが嵌合する連結口が設けられている。長さは特に限定しない。シリンジとの脱着のし易さを考えて決めればよい。高粘度経腸栄養剤は、請求項２に記載のように、吸入筒の吸入口側が小径でシリンジ連結口側へ漸次大きくなるように形成されたものを使用すれば、高粘度経腸栄養剤は速やかにシリンジへ流入する。
【００１１】
シリンジに高粘度経腸栄養剤が充填されたときは、シリンジを吸引アダプターから取り外して、胃瘻用カテーテルのファネルへ接続すればよい。シリンジを吸引アダプターから取り外せば、吸入筒から外気が流入するので、吸入パッドを皿から容易に離すことができる。吸入量が少ない場合など、シリンジが吸引アダプターに接続された状態のまま、皿から引き離すことが必要な場合には、請求項３に記載のように、吸入パッドの外周部に引手が固設されたものを使用するとよい。吸入パッドは皿に強力に吸着しているので、引手の掴む部分は、手に力が入りやすい形状にするとよい。
【発明の効果】
【００１２】
本発明の高粘度経腸栄養剤の吸引アダプターは、シリンジに簡便に脱着でき、空気がシリンジに流入しないので、皿に盛り付けられた高粘度経腸栄養剤をシリンジへ確実に吸入でき、しかも、構造が簡素で動力を必要としないので、簡単に誰でも使用でき、故障することもない。
【図面の簡単な説明】
【００１３】
【図１】胃瘻用カテーテルの一例の説明図である。
【図２】シリンジの全体を示す正面図である。
【図３】吸引アダプターの実施の形態を示す全体斜視図である。
【図４】同、図３のＡ−Ａ断面図である。
【図５】同、吸入パッドの他の実施例を示す正面図である。
【図６】同、引手の実施例を示す斜視図である。
【図７】同、吸引アダプターの使用状態を示す正面断面図である。
【発明を実施するための最良の形態】
【００１４】
本発明のシリンジへの吸引アダプターの実施の形態を、図３および図４に基づいて説明する。
図３は、本発明の吸引アダプター２０の実施の形態を示す斜視図で、図４は、図３のＡ−Ａ断面図である。
【００１５】
吸引アダプター２０は、合成樹脂（例えば、ポリ塩化ビニル）製で、先端に弾性体の吸入パッド２１が固設され、その中心部に吸入筒２２が固着されている。吸入筒２２の中央部には連通する孔が形成されており、吸入パッド２１側には吸入口２２ａが、他端側にはシリンジ１０の筒先１３が嵌入連結される連結口２２ｂが設けられている。この連通する孔は、吸入口２２ａからシリンジ連結口２２ｂへ、漸次径が大きくなるように形成されている。
【００１６】
次に、このように構成された吸引アダプター２０の使い方を説明する。
例えば、高粘度経腸栄養剤であるミキサー食を胃瘻へ投与する場合は、まず、ミキサーから皿へ、ミキサー食を直接流し込むかスプーンなどで取り出す。
次に、図７に示すように、吸引アダプター２０の吸入筒２２の上端である連結口２２ｂに、シリンジ１０の筒先１３を挿入連結する。そして、シリンジ１０の押子１２を外筒１１の底まで押込み、吸入パッド２１を下側にして、ほぼ、垂直に持って、皿３０上のミキサー食３５に対して、上面から軽く押し付ける。
この状態で、シリンジ１０の押子１２を引き上げると、ミキサー食３５が吸引されてシリンジ１０の押子１２を引き上げた空間に吸入される。
【００１７】
次に、シリンジ１０の筒先１３を吸引アダプター２０の連結口２２ｂから外し、図１に示す胃瘻カテーテル１のファネル５にシリンジ１０の筒先１３を挿入連結し、押子１２を押込んで、ミキサー食３５を胃瘻へ送り込む。なお、シリンジ１０が取り外された吸引アダプター２０は、吸入筒２２から外気が流入するので、皿３０から簡単に離すことができる。
引き続き、ミキサー食３５を胃瘻へ送り込むには、シリンジ１０をファネル５から外し、吸引アダプター２０に付け替えて、上記と同じ作業を繰り返せばよい。
【００１８】
次に、吸引アダプター２０の別の実施の形態を図５に基いて説明する。
図５は、吸引アダプターの種々の実施の形態を示すもので、吸引アダプター２０Ａは、吸引パッドの径が大きなものを示し、吸引アダプター２０Ｂは、吸引パッドの径の小さいものを示している。また、吸引アダプター２０Ｃは、吸入筒が長いものを示している。
どれを使用するかは、高粘度経腸栄養剤の性状や、使用する皿３０などによって、決めればよい。
【００１９】
次に、請求項３に記載の実施の形態について図６に基いて説明する。
吸引アダプター２０は、シリンジ１０を連結して高粘度経腸栄養剤を吸入した状態では、吸入パッド２１が皿３０に吸着しており、吸入パッド２１を皿３０から引き離すことはできない。図６に示す吸引アダプターは、このような場合に皿３０から引き離せるように、引手２３を吸入パッド２１の外周部に固設したものである。
引手２３としては、図６（ａ）〜（ｃ）に示すように、種々のものが考えられる。（ａ）は、吸入パッド２１の外周部に立設した棒状で上端に指がかかる凸状の掴み部が形成されたもの、また、（ｂ）は、上端にリング状の持手を付設したもの、（ｃ）は上端をフック状にしたものである。
【００２０】
このような引手を備えた吸引アダプター２０Ｈを使用すれば、例えば、シリンジ１０にあるミキサー食３５を所定量吸入したら、吸引アダプター２０Ｈの引手２３を引き込んで、吸引パッド２１を皿３０から引き剥がし、別に用意したミキサー食あるいは、残りのミキサー食をシリンジ１０に追加吸入することが容易にできる。
【符号の説明】
【００２１】
１  胃瘻カテーテル
２  バルーン
３  固定板
４  チューブ
５  ファネル
６  ファネルストッパー
７  バルブ
１０  シリンジ
１１  外筒
１２  押子
１３  筒先
１４  フランジ
１５  シール材
２０  吸引アダプター
２０Ａ，２０Ｂ，２０Ｃ，２０Ｈ  吸引アダプター
２１  吸入パッド
２２  吸入筒
２２ａ  吸入口
２２ｂ  連結口
２３、２３ａ、２３ｂ  引手
３０  皿
３５  ミキサー食